(57)【要約】      （修正有）【課題】重量を微調整するための調節可能なダンベルを提供する。【解決手段】ダンベルは、レセプタクル１０と、レセプタクル１０に係合可能な第１の重り部材２０及び第２の重り部材２１と、第１の重り部材２０及び第２の重り部材２１の間に係合され、ハンドル機構３が２つの端部３１を有するハンドルバー３０と、ハンドルバー３０の端部３１に配置された第１のハウジング３２及び第２のハウジング３３とを備える。２つのアクチュエータ５０、６０は第１の重り要素１４及び第２の重り要素１５と係合するためにハンドルバー３０の端部３１に取り付けられ、各々は第１の重り要素１４と係合するための第１のセグメント５１と、第２の重り要素１５と係合するための第２のセグメント５２とを備える。【選択図】図１
0003231182.tif 000002
【実用新案登録請求の範囲】
【請求項１】
レセプタクルと、
前記レセプタクルに係合可能な第１の重り部材及び第２の重り部材と、
前記レセプタクルに係合され、前記第１の重り部材及び前記第２の重り部材の間に係合される２つの第１の重り要素と、
前記レセプタクルに係合され、前記第１の重り部材及び前記第２の重り部材の間に係合され、前記第１の重り要素及び第２の重り要素よりも前記第１の重り部材及び前記第２の重り部材の近くに位置する２つの前記第２の重り要素と、
前記第１の重り部材及び前記第２の重り部材の間に係合され、ハンドル機構が２つの端部を有するハンドルバーと、
前記ハンドルバーの前記端部に配置された第１のハウジング及び第２のハウジングと、を備え、
２つのアクチュエータは、前記第１の重り要素及び前記第２の重り要素と係合するために前記ハンドルバーの前記端部に取り付けられ、各々は前記第１の重り要素と係合するための第１のセグメントと、
前記第２の重り要素と係合するための第２のセグメントと、を備えることで調整可能なことを特徴とするダンベル。
【請求項２】
前記アクチュエータは、それぞれ、前記第１の重り要素と係合するために前記第１のセグメント上に形成された第１の舌片と、
前記第１の重り要素と係合するために前記第１のセグメント上に形成された第２の舌片と、
前記第２の重り要素と係合するために前記第２のセグメント上に形成された突起と、を備えることを特徴とする請求項１に記載のダンベル。
【請求項３】
前記第１の重り要素及び前記第２の重り要素は、それぞれ、前記第１の舌片及び前記第２の舌片及び前記突起と係合するための少なくとも１つの窪みを備えることを特徴とする請求項１に記載のダンベル。
【請求項４】
前記アクチュエータは、各ノブを備え、前記第１のハウジング及び前記第２のハウジングは各溝を備え、前記アクチュエータは各前記ノブから延長され、前記第１のハウジング及び前記第２のハウジングの前記溝に係合するピンを備えることを特徴とする請求項１に記載のダンベル。
【考案の詳細な説明】
【技術分野】
【０００１】
本考案は、重量を微調整するための調節可能なダンベルに関するものである。
【背景技術】
【０００２】
従来のダンベルは、中央ハンドルバーの端部に一対で取り付けるための多数の重りリング又は部材を備える。
【考案の概要】
【考案が解決しようとする課題】
【０００３】
ダンベルの重り部材の総重量は、微調整されないことがある。
本考案は、上述に鑑みてなされたものであり、その目的は、重量を微調整するための調節可能なダンベルを提供することにある。
【課題を解決するための手段】
【０００４】
本考案のダンベルは、レセプタクルと、前記レセプタクルに係合可能な第１の重り部材及び第２の重り部材と、前記レセプタクルに係合され、前記第１の重り部材及び前記第２の重り部材の間に係合される２つの第１の重り要素と、前記レセプタクルに係合され、前記第１の重り部材及び前記第２の重り部材の間に係合され、前記第１の重り要素及び第２の重り要素よりも前記第１の重り部材及び前記第２の重り部材の近くに位置する２つの前記第２の重り要素と、前記第１の重り部材及び前記第２の重り部材の間に係合され、ハンドル機構が２つの端部を有するハンドルバーと、前記ハンドルバーの前記端部に配置された第１のハウジング及び第２のハウジングと、を備える。
２つのアクチュエータは、前記第１の重り要素及び前記第２の重り要素と係合するために前記ハンドルバーの前記端部に取り付けられ、各々は前記第１の重り要素と係合するための第１のセグメントと、前記第２の重り要素と係合するための第２のセグメントと、を備える。
【図面の簡単な説明】
【０００５】
【図１】本考案の一実施形態のダンベルの部分分解図である。
【図２】本考案の一実施形態のダンベルの部分分解図である。
【図３】本考案の一実施形態のダンベルの斜視図である。
【図４】本考案の一実施形態のダンベルの平面図である。
【図５】本考案の一実施形態のダンベルの部分分解図である。
【図６】本考案の一実施形態のダンベルの部分分解図である。
【図７】本考案の一実施形態のダンベルの部分分解図である。
【図８】本考案の一実施形態のダンベルの断面図である。
【図９】本考案の一実施形態のダンベルの断面図である。
【図１０】本考案の一実施形態のダンベルの断面図である。
【考案を実施するための形態】
【０００６】
以下、本考案による実施形態を図面に基づいて説明する。
【０００７】
（一実施形態）
図１から図５を参照する。本発明のダンベルは、２つの第１の重り部材２０、第２の重り部材２１、及びレセプタクル１０内に延在し、区画１１と第１の重り部材２０、第２の重り部材２１との間に配置された１つ以上のシート１２、１３と係合するための１つ以上の区画１１を含むレセプタクル１０を備える。
図６及び図７に示すように、シート１２、１３は第１の重り要素１４、第２の重り要素１５、外側重り要素１６、内側重り要素１７と係合するために互いに分離され、その各々は中間部分に形成された開口１８と、第１の重り要素１４、第２の重り要素１５、外側重り要素１６、内側重り要素１７の開口１８と連通する１つ以上の窪み１９とを備える。
【０００８】
第１の重り部材２０、第２の重り部材２１はそれぞれ、内側に形成され、シート１２、１３に面するアンカー要素またはダブテール２３と、外側に形成され、シート１２、１３から離れて面し、第１の重り部材２０、第２の重り部材２１のアンカー要素またはダブテール２３と係合するアンカー部材またはダブテールスロット２４とを備える。
【０００９】
第１の重り部材２０の１つまたは第１のグループはそれぞれ、互いに整列されたオリフィス２５を備え、第２の重り部材２１の他方または第２のグループはそれぞれ、互いに整列された開口２６を備え、ハンドル機構３は１つまたは複数の端部３１を有する中央ハンドルバー３０と、端部３１から延在し、外側に形成され、ダブテール２３と係合し、第１の重り部材２０、第２の重り部材２１をハウジング３２、３３に固定するために第１の重り部材２０、第２の重り部材２１に面する固定部材またはダブテールスロット３４をそれぞれ有する１つまたは複数のハウジング３２、３３とを備える。
【００１０】
図８から図１０に示すように、１つ以上のバレル４０、４１が、ハウジング３２、３３の間に係合され、互いに間隔を置いて配置され、それぞれがボア４２を備える。
第１のハウジング３２は第１のバレル４０のボア４２と整列した通路３５（図２参照）を備え、第２のハウジング３３は第２のバレル４１のボア４２と整列した穴３６を備える。
第１のラッチ４３及び第２のラッチ４４はバレル４０、４１のボア４２に係合し、通路３５及びハウジング３２、３３の穴３６から延長可能であり、第１の重り部材２０のオリフィス２５及び第２の重り部材２１の開口２６と係合する。
【００１１】
図６及び図７に示すように、１つまたは複数のアクチュエータ５０、６０はハンドルバー３０の端部３１に取り付けられ、第１の重り要素１４、第２の重り要素１５、外側重り要素１６、内側重り要素１７の開口１８に係合可能であり、アクチュエータ５０、６０は同一の構造を備え、互いに対向して配置され、第１の重り要素１４、第２の重り要素１５、外側重り要素１６、内側重り要素１７と係合するための第１のセグメント５１、６１及び第２のセグメント５２、６２をそれぞれ備える。
【００１２】
ハウジング３２、３３及びハンドルバー３０に対してアクチュエータ５０、６０を回転させるために、２つのハンドグリップまたはノブ５３、６３がアクチュエータ５０、６０に取り付けられている。
アクチュエータ５０、６０の第１のセグメント５１、６１は各々、１つ以上の第１の舌片５４、６４、第２の舌片５５、６５を備え、第２のセグメント５２、６２は、各々、第１の重り要素１４、第２の重り要素１５、外側重り要素１６、内側重り要素１７と係合するための１つ以上の突起５６、６６を備える。
【００１３】
図５及び図８に示すように、アクチュエータ５０、６０が第１の重り要素１４、第２の重り要素１５、外側重り要素１６、内側重り要素１７の開口１８に中央係合されると、第１の舌片５４、６４、第２の舌片５５、６５及び突起５６、６６は第１の重り要素１４、第２の重り要素１５、外側重り要素１６、内側重り要素１７に係合されない。
図６及び図９に示すように、アクチュエータ５０、６０が時計回りのような一方向にハウジング３２、３３に対して回転すると、第１のセグメント５１、６１の第１の舌片５４、６４のような１つ以上が第１の重り部材２０、第２の重り部材２１の遠位に配置または配置された第１の重り要素１４または外側重り要素１６と係合するように強制され、このとき、第２のセグメント５２、６２の突起５６、６６は、第１の重り部材２０、第２の重り部材２１の近くに配置または配置された第２の重り要素１５または内側重り要素１７と係合しない。
【００１４】
図７及び図１０に示すように、アクチュエータ５０、６０がハウジング３２、３３に対して他の方向または反時計回りに回転されると、第１のセグメント５１、６１の第２の舌片５５、６５のような１つ以上が第１の重り要素１４または外側重り要素１６と係合するように強制され、この時点で、第２のセグメント５２、６２の突起５６、６６は、第１の重り部材２０、第２の重り部材２１の近くに配置または配置された第２の重り要素１５または内側重り要素１７と係合するように強制され、第１の重り要素１４または外側重り要素１６及び第２の重り要素１５または内側重り要素１７の両方がハンドル機構３（図７参照）に固定されることを可能にする。
【００１５】
ハウジング３２、３３は各溝３８を備える湾曲したガイドフレーム３７を含んでいてもよく、ノブ５３、６３は各ハウジング３２、３３に対して回転するようにアクチュエータ５０、６０を案内するために、ガイドフレーム３７の溝３８に係合されたピン５７、６７を含んでいる。
【００１６】
図５及び図８に示すように、作動中、アクチュエータ５０、６０が第１の重り要素１４、第２の重り要素１５、外側重り要素１６、内側重り要素１７の開口１８に係合され、アクチュエータ５０、６０がハウジング３２、３３に対して回転されないとき、第１の舌片５４、６４、第２の舌片５５、６５、及び突起５６、６６が第１の重り要素１４、第２の重り要素１５、外側重り要素１６、内側重り要素１７をハウジング３２、３３に定着させない場合、ラッチ４３、４４は、必要な数の第１の重り部材２０、第２の重り部材２１をハウジング３２、３３及びハンドルバー３０に定着させることができる。
図６及び図９に示すように、アクチュエータ５０、６０がハウジング３２、３３に対して一方向または時計回りに回転すると、第１のセグメント５１、６１の第１の舌片５４、６４が第１の重り要素１４または外側重り要素１６と係合する。
図７及び図１０に示すように、アクチュエータ５０、６０がハウジング３２、３３に対して他方向または反時計回りに回転すると、第１のセグメント５１、６１の第２の舌片５５、６５が第１の重り要素１４または外側重り要素１６をハウジング３２、３３に固定する。
【００１７】
この時点で、第２のセグメント５２、６２の突起５６、６６は第１の重り要素１４または外側重り要素１６及び第２の重り要素１５または内側重り要素１７をハンドル機構３（図７参照）に固定するために、第２の重り要素１５または内側重り要素１７と係合する。第１の重り要素１４、第２の重り要素１５、外側重り要素１６、内側重り要素１７は、第１の重り部材２０、第２の重り部材２１よりも小さい重りまたはサイズまたは標準を備える。
【００１８】
以上、本考案は、上記実施形態になんら限定されるものではなく、考案の趣旨を逸脱しない範囲において種々の実施形態で実施可能である。
【符号の説明】
【００１９】
３ハンドル機構、
１０レセプタクル、
１１区画、
１２シート、
１３シート、
１４第１の重り要素、
１５第２の重り要素、
１６外側重り要素、
１７内側重り要素、
１８開口、
１９窪み、
２０第１の重り部材、
２１第２の重り部材、
２３ダブテール、
２４ダブテールスロット、
２５オリフィス、
２６開口、
３０ハンドルバー、
３１端部、
３２ハウジング、
３３ハウジング、
３４ダブテールスロット、
３５通路、
３６穴、
３７ガイドフレーム、
３８溝、
４０バレル、
４１バレル、
４２ボア、
４３ラッチ、
４４ラッチ、
５０アクチュエータ、
５１第１のセグメント、
５２第２のセグメント、
５３ノブ、
５４第１の舌片、
５５第２の舌片、
５６突起、
５７ピン、
６０アクチュエータ、
６１第１のセグメント、
６２第２のセグメント、
６３ノブ、
６４第１の舌片、
６５第２の舌片、
６６突起、
６７ピン。
【図１】
0003231182.tif 000003
【図２】
0003231182.tif 000004
【図３】
0003231182.tif 000005
【図４】
0003231182.tif 000006
【図５】
0003231182.tif 000007
【図６】
0003231182.tif 000008
【図７】
0003231182.tif 000009
【図８】
0003231182.tif 000010
【図９】
0003231182.tif 000011
【図１０】
0003231182.tif 000012